(57)【要約】【課題】  この発明は、経路形成部により第１の信号経路又は第２の信号経路のいずれか一方が形成できる信号選択装置及び通信装置を得ることを目的とする。【解決手段】  第１入力端から伝送される第１の高周波信号、及び、第２入力端から伝送される第２の高周波信号をミキシングする第１ミキサと、第３入力端から伝送される第３の高周波信号、及び、第４の高周波信号をミキシングし、第１のコンバージョン信号又は第２のコンバージョン信号を出力する第２ミキサと、第１ミキサがミキシングした高周波信号を第４の高周波信号として第２ミキサに伝送する第１の信号経路、又は、第２入力端から伝送される第２の高周波信号を第４の高周波信号として第２ミキサに伝送する第２の信号経路のいずれか一方を形成できる経路形成部とを備えたことを特徴とする。【選択図】    図１
2019068322.tif 000002
【特許請求の範囲】
【請求項１】
第１の高周波信号が入力される第１入力端と、第２の高周波信号が入力される第２入力端と、第３の高周波信号が入力される第３入力端と、前記第１入力端から伝送される前記第１の高周波信号、及び、前記第２入力端から伝送される前記第２の高周波信号をミキシングする第１ミキサと、前記第３入力端から伝送される前記第３の高周波信号、及び、第４の高周波信号をミキシングし、第１のコンバージョン信号又は第２のコンバージョン信号を出力する第２ミキサと、前記第１ミキサがミキシングした高周波信号を前記第４の高周波信号として前記第２ミキサに伝送する第１の信号経路、又は、前記第２入力端から伝送される前記第２の高周波信号を前記第４の高周波信号として前記第２ミキサに伝送する第２の信号経路のいずれか一方を形成できる経路形成部とを備え、
前記第２ミキサは、前記第１の信号経路が形成されているときは前記第１のコンバージョン信号を出力し、前記第２の信号経路が形成されているときは前記第２のコンバージョン信号を出力することを特徴とする信号選択装置。
【請求項２】
前記第２入力端は、前記第２の高周波信号を生成する第１局部発振回路である、又は、前記第２入力端は、前記第１局部発振回路が生成した前記第２の高周波信号が入力されることを特徴とする請求項１に記載の信号選択装置。
【請求項３】
前記第３入力端は、前記第３の高周波信号を生成する第２局部発振回路である、又は、前記第３入力端は、前記第２局部発振回路が生成した前記第３の高周波信号が入力されることを特徴とする請求項１又は請求項２に記載の信号選択装置。
【請求項４】
前記経路形成部は、前記第１の信号経路又は前記第２の信号経路の形成を伝送線路の付け替えで行うことを特徴とする請求項１から請求項３のいずれか１項に記載の信号選択装置。
【請求項５】
前記経路形成部は、前記第２入力端から伝送される前記第２の高周波信号が出力される第１端子が形成され、前記第１ミキサに第２端子及び第３端子が形成され、前記第２ミキサに前記第４の高周波信号が入力される第４端子が形成され、
前記経路形成部は、前記第１端子と前記第２端子とが伝送線路で接続され及び前記第３端子と前記第４端子とが伝送線路で接続されることによって前記第１の信号経路を形成、又は、前記第１端子と前記第４端子とが伝送線路で接続されることにより前記第２の信号経路を形成することを特徴とする請求項１から請求項３のいずれか１項に記載の信号選択装置。
【請求項６】
前記経路形成部は、前記第１の信号経路又は前記第２の信号経路のいずれか一方に固定されて形成されていることを特徴とする請求項１から請求項５のいずれか１項に記載の信号選択装置。
【請求項７】
請求項１から請求項６のいずれか１項に記載の信号選択装置を少なくとも１つ有する通信装置であって、
入力された前記第１の高周波信号を分配し、一方を前記第１入力端に入力させる分配器と、前記分配器が分配した前記第１の高周波信号の他方が入力され、前記第１のコンバージョン信号と同じ周波数の送信波に周波数変換する周波数変換器と、前記第２のコンバージョン信号と同じ周波数のパイロット信号を生成するパイロット信号発生器と、前記周波数変換器が前記送信波を出力する第３の信号経路と前記第２ミキサが前記第１のコンバージョン信号を出力する第４の信号経路と切り換える第１信号切替器と、前記パイロット信号発生器が前記パイロット信号を出力する第５の信号経路と前記第２ミキサが前記第２のコンバージョン信号を出力する第６の信号経路と切り換える第２信号切替器とを備えたことを特徴とする通信装置。
【請求項８】
前記周波数変換器は、請求項１から請求項６のいずれか１項に記載の信号選択装置であり、前記第１のコンバージョン信号を前記送信波として出力し、
前記パイロット信号発生器は、請求項１から請求項６のいずれか１項に記載の信号選択装置であり、前記第２のコンバージョン信号を前記パイロット信号として出力することを特徴とする請求項７に記載の通信装置。
【請求項９】
前記第１信号切替器及び前記第２信号切替器は、前記第４の信号経路又は前記第６の信号経路のいずれか一方に、排他的に切り替えることができることを特徴とする請求項７又は請求項８に記載の通信装置。
【請求項１０】
前記第１信号切替器及び前記第２信号切替器の切り替え動作を制御する切替制御部をさらに備えたことを特徴とする請求項７から請求項９のいずれか１項に記載の通信装置。
【請求項１１】
前記周波数変換器の故障を検知し、前記パイロット信号発生器の故障を検知する故障検知部をさらに備え、
前記故障検知部は、前記周波数変換器の故障を検知したとき、前記第１信号切替器に前記第３の信号経路から前記第４の信号経路に切り替えさせ、前記パイロット信号発生器の故障を検知したとき、前記第２信号切替器に前記第５の信号経路から前記第６の信号経路に切り替えさせることを特徴とする請求項７から請求項９のいずれか１項に記載の通信装置。
【請求項１２】
請求項１から請求項６のいずれか１項に記載の信号選択装置を少なくとも１つ有する通信装置であって、
入力された前記第１の高周波信号を分配し、一方を前記第１入力端に入力させる分配器と、前記分配器が分配した前記第１の高周波信号の他方が入力され、前記第１のコンバージョン信号と同じ周波数の送信波に周波数変換する周波数変換器と、前記第２のコンバージョン信号と同じ周波数のパイロット信号を生成するパイロット信号発生器と、前記周波数変換器の故障、又は、前記パイロット信号発生器の故障の少なくとも一方を検知する故障検知部と備え、前記故障検知部は、故障を検知したとき、前記第２ミキサから、前記第１のコンバージョン信号又は前記第２のコンバージョン信号の少なくとも一方を出力させることを特徴とする通信装置。
【発明の詳細な説明】
【技術分野】
【０００１】
この発明は、高周波信号（ＲＦ信号）の周波数変換を複数回行う信号選択装置及び通信装置に関するものである。
【背景技術】
【０００２】
信号選択装置（信号切替装置を含む）及び通信装置に関連するものは次のようなものである。従来、高周波信号の周波数変換を複数回行うものに、受信機や送信機に使用されるトリプルコンバージョン方式（例えば、特許文献１参照）やダブルコンバージョン方式があった（例えば、特許文献２参照）。これらの方式は、周波数変換を複数回行うことで、実施に通信で使用される周波数（通信用の変調波）よりも、より低い周波数の高周波信号（中間周波数）用の回路で受信機や送信機を構成することができるメリットがある。
【０００３】
このような受信機や送信機には、衛星通信や無線通信に使用されている。これらの通信においては、通信用の変調波以外にパイロット信号を送出し、このパイロット信号を自局で受信することにより衛星通信や無線通信で発生する周波数偏差を検出し周波数補償しているものが従来からある（例えば、特許文献２参照）。また、通信用の変調波以外にパイロット信号を送出する受信機には、パイロット信号レベルを検出することにより、降雨による伝搬路の減衰などを検出し電力補償しているものがある（例えば、特許文献３参照）。
【先行技術文献】
【特許文献】
【０００４】
【特許文献１】特開２００１−６０８８８号公報
【特許文献２】特開平４−５７４１６号公報
【特許文献３】特開平２−４４９２８号公報
【発明の概要】
【発明が解決しようとする課題】
【０００５】
しかし、従来の通信用の変調波以外にパイロット信号を送出するものは、送信パイロット発振器と周波数変換用ローカル発振器を個別に搭載する必要があり、回路規模が大きくなってしまう。特許文献２の第３図に開示された送信部は、周波数変換器とパイロット信号発生器との機能を切り替える構成ではあるが、送信パイロット発振器と周波数変換用ローカル発振器とは別に搭載する必要がある。すなわち、従来のパイロット信号発生器と周波数変換器との機能を切り替える構成では、周波数変換の信号経路が効率化できていないという課題がある。
【０００６】
この発明は、上記のような課題を解消するためになされたもので、経路形成部により第１の信号経路又は第２の信号経路のいずれか一方が形成できる信号選択装置及び通信装置に関するものである。
【課題を解決するための手段】
【０００７】
この発明に係る信号選択装置及び通信装置は、第１の高周波信号が入力される第１入力端と、第２の高周波信号が入力される第２入力端と、第３の高周波信号が入力される第３入力端と、前記第１入力端から伝送される前記第１の高周波信号、及び、前記第２入力端から伝送される前記第２の高周波信号をミキシングする第１ミキサと、前記第３入力端から伝送される前記第３の高周波信号、及び、第４の高周波信号をミキシングし、第１のコンバージョン信号又は第２のコンバージョン信号を出力する第２ミキサと、前記第１ミキサがミキシングした高周波信号を前記第４の高周波信号として前記第２ミキサに伝送する第１の信号経路、又は、前記第２入力端から伝送される前記第２の高周波信号を前記第４の高周波信号として前記第２ミキサに伝送する第２の信号経路のいずれか一方を形成できる経路形成部とを備え、前記第２ミキサは、前記第１の信号経路が形成されているときは前記第１のコンバージョン信号を出力し、前記第２の信号経路が形成されているときは前記第２のコンバージョン信号を出力することを特徴とするものである。
【発明の効果】
【０００８】
以上のように、この発明によれば、形成された信号経路によって第１のコンバージョン信号又は第２のコンバージョン信号を得ることが容易な信号選択装置及び通信装置を得ることができる。
【図面の簡単な説明】
【０００９】
【図１】この発明の実施の形態１に係る信号選択装置の機能ブロック図である。
【図２】この発明の実施の形態２に係る信号選択装置の機能ブロック図である（信号経路の形成前）。
【図３】この発明の実施の形態２に係る信号選択装置の機能ブロック図である（第１の信号経路の形成時）。
【図４】この発明の実施の形態２に係る信号選択装置の機能ブロック図である（第２の信号経路の形成時）。
【図５】この発明の実施の形態３に係る通信装置の機能ブロック図である。
【図６】この発明の実施の形態３に係る通信装置の機能ブロック図である（第４の信号経路の形成時）。
【図７】この発明の実施の形態３に係る通信装置の機能ブロック図である（第６の信号経路の形成時）。
【図８】この発明の実施の形態３に係る通信装置の動作フローチャートである。
【図９】この発明の実施の形態４に係る通信装置の機能ブロック図である。
【図１０】この発明の実施の形態４に係る通信装置の機能ブロック図である。
【発明を実施するための形態】
【００１０】
実施の形態１．
以下、この発明の実施の形態１に係る信号選択装置について図１を用いて説明する。図１（ａ）は第１の信号経路が形成されている状態の信号選択装置の機能ブロック図である。図１（ｂ）は第２の信号経路が形成されている状態の信号選択装置の機能ブロック図である。図中、同一符号は、同一又は相当部分を示しそれらについての詳細な説明は省略する場合がある。なお、高周波信号は、ＲＦ（Ｒａｄｉｏ  Ｆｒｅｑｕｅｎｃｙ）信号と読み替えてもよい。
【００１１】
図１において、第１入力端１は第１の高周波信号Ｆｉｆが入力されるものである。第２入力端２は、第２の高周波信号ＦＬ１が入力されるものである。第３入力端３は、第３の高周波信号ＦＬ２が入力されるものである。第１ミキサ４は、第１入力端１から伝送される第１の高周波信号Ｆｉｆ、及び、第２入力端２から伝送される第２の高周波信号ＦＬ１をミキシングするものである。第２ミキサ５は、第３入力端３から伝送される第３の高周波信号ＦＬ２、及び、第４の高周波信号をミキシングし、第１のコンバージョン信号又は第２のコンバージョン信号を出力するものである。
【００１２】
第１のコンバージョン信号は、第１の高周波信号Ｆｉｆ、第２の高周波信号ＦＬ１、第３の高周波信号ＦＬ２の三つの高周波信号を合成して周波数変換した状態であるため、所謂トリプルコンバージョン方式の周波数変換された高周波信号といえる。第２のコンバージョン信号は、第２の高周波信号ＦＬ１及び第３の高周波信号ＦＬ２の二つの高周波信号を合成して周波数変換した状態であるため、所謂ダブルコンバージョン方式の周波数変換された高周波信号といえる。第１のコンバージョン信号及び第２のコンバージョン信号は、それぞれ、トリプルコンバージョン方式の周波数変換された高周波信号、及び、ダブルコンバージョン方式の周波数変換された高周波信号に限らない。例えば、実施の形態１に係る信号選択装置では、第１のコンバージョン信号が、３＋（ｎ−１）回、周波数変換されるものである場合、第２のコンバージョン信号は、２＋（ｎ−１）回、周波数変換されるものとなる。なお、ｎは整数である。
【００１３】
図１において、出力端６は、第２ミキサ５から出力された第１のコンバージョン信号又は第２のコンバージョン信号を外部へ出力するものである。経路形成部７は、信号選択装置の信号経路のうち、第１の信号経路又は第２の信号経路のいずれか一方を形成できる。図１では信号切替回路を例示しているが、第１の信号経路又は第２の信号経路のいずれか一方を形成できるものであればよい。経路形成部７は、第２入力端２から伝送される第２の高周波信号ＦＬ１を第１ミキサ４に伝送するか（図１（ａ））、第２ミキサ５に伝送するか（図１（ｂ））を決めるものであるといえる。
【００１４】
また、経路形成部７は、第１の信号経路又は第２の信号経路のいずれか一方に固定されて形成されていてもよい。これは、設計の過程で、第１の信号経路又は第２の信号経路のいずれか一方を選択可能な状態で進め、最終的な信号選択装置では、第１の信号経路又は第２の信号経路のいずれか一方に固定することを意味している。この場合を、特に限定的に解釈して、実施の形態１に係る信号選択装置と称してもよい。一方、限定的な解釈でないもの、つまり、第１の信号経路又は第２の信号経路のいずれか一方に変更できる状態を維持しているものは、実施の形態１に係る信号切替装置といえる。第１の信号経路は、図１（ａ）に示すように、第１ミキサ４がミキシングした高周波信号を第４の高周波信号として第２ミキサ５に伝送する経路である。第２の信号経路は、図１（ｂ）に示すように、第２入力端２から伝送される第２の高周波信号を第４の高周波信号として第２ミキサ５に伝送する経路である。
【００１５】
図１に示す信号選択装置では、第１入力端１の外部から、第１の高周波信号Ｆｉｆが入力される構成である。一方、第２入力端２は、第２の高周波信号ＦＬ１を生成する第１局部発振回路２Ｌである。同じく、第３入力端３は、第３の高周波信号ＦＬ２を生成する第２局部発振回路３Ｌである。もちろん、第２入力端２は、第１局部発振回路２Ｌが生成した第２の高周波信号ＦＬ１が入力されるものであってもよい。同じく、第３入力端３は、第２局部発振回路３Ｌが生成した第３の高周波信号ＦＬ２が入力されるものであってもよい。
【００１６】
このように、実施の形態１に係る信号選択装置は、経路形成部７により、第１の信号経路が形成されているときは第２ミキサ５（出力端６）から第１のコンバージョン信号を出力し、第２の信号経路が形成されているときは第２ミキサ５（出力端６）から第２のコンバージョン信号を出力することができる。よって、実施の形態１に係る信号選択装置は、周波数変換器又はパイロット信号発生器として使用することができる。また、実施の形態１に係る信号選択装置は、周波数変換器／パイロット信号発生器の切替装置としても使用することができる。換言すると、周波数変換器とパイロット信号発生器との切り替えが可能な信号選択装置であるといえる。
【００１７】
実施の形態１に係る信号選択装置を周波数変換器として使用する場合は、信号入力端である第１入力端１からの第１の高周波信号Ｆｉｆを、第１ミキサ４にて第２入力端（第１局部発信回路２Ｌ）の出力信号である第２の高周波信号ＦＬ１とミキシングし周波数Ｆｉｆ＋ＦＬ１に変換する。次に、第２ミキサ５にて、第３入力端（第２局部発信回路３Ｌ）の出力信号である第３の高周波信号ＦＬ２とミキシングして第２ミキサ５（出力端６）から周波数Ｆｉｆ＋ＦＬ１＋ＦＬ２を出力する。すなわち、周波数Ｆｉｆ＋ＦＬ１＋ＦＬ２は、第１のコンバージョン信号である。
【００１８】
実施の形態１に係る信号選択装置をパイロット信号発生器として使用する場合は、第２ミキサ５にて、第２入力端（第１局部発信回路２Ｌ）の出力信号である第２の高周波信号ＦＬ１と、第３入力端（第２局部発信回路３Ｌ）の出力信号である第３の高周波信号ＦＬ２とを、ミキシングして第２ミキサ５（出力端６）から周波数ＦＬ１＋ＦＬ２を出力する。すなわち、周波数ＦＬ１＋ＦＬ２は、第２のコンバージョン信号である。なお、経路形成部７により、第２の信号経路が独立して存在できれば、信号入力端である第１入力端１からの第１の高周波信号Ｆｉｆの入力の有無は問わない。
【００１９】
以上のように、実施の形態１に係る信号選択装置（信号切替装置）は、第１の信号経路が形成されているときは第１のコンバージョン信号（周波数Ｆｉｆ＋ＦＬ１＋ＦＬ２）を出力し、第２の信号経路が形成されているときは第２のコンバージョン信号（周波数ＦＬ１＋ＦＬ２）を出力することが、経路形成部７によって実行できる。よって、周波数変換器のローカル信号源（第１局部発信回路２Ｌ、第２局部発信回路３Ｌ）とパイロット信号発生器の信号源の局部発振器（第１局部発信回路２Ｌ、第２局部発信回路３Ｌ）とを共通にすることができる。また、経路形成部７は、第１の信号経路又は第２の信号経路のいずれか一方に固定されて形成されている場合は、周波数変換器又はパイロット信号発生器のいずれか一方として使用できる。
【００２０】
実施の形態２．
この発明の実施の形態２に係る信号選択装置について図２、図３、図４を用いて説明する。図２は、信号経路が形成される前の状態の信号選択装置の機能ブロック図（端子に未接続の伝送線路を含む）である。図３は、第１の信号経路が形成されている状態の信号選択装置の機能ブロック図である。図４は、第２の信号経路が形成されている状態の信号選択装置の機能ブロック図である。図中、同一符号は、同一又は相当部分を示しそれらについての詳細な説明は省略する場合がある。
【００２１】
実施の形態１に係る信号選択装置は、経路形成部７のみで第１の信号経路又は第２の信号経路のいずれか一方を形成できるものであった。一方、実施の形態２に係る信号選択装置は、経路形成部７が、第１の信号経路又は第２の信号経路の形成を伝送線路の付け替えで行うものである。実施の形態１との違いを中心に実施の形態２の説明を進める。図２は、実施の形態２に係る信号選択装置に、伝送線路（後述する伝送線路、伝送線路９）が接続される前を示している。なお、実施の形態２に係る信号選択装置には、伝送線路（後述する伝送線路、伝送線路９）が含まれているとしてもよい。
【００２２】
図２、図３、図４において、経路形成部７には、第１端子７ａ、第２端子７ｂ、第３端子７ｃ、第４端子７ｄが形成されている。第１端子７ａは、第２入力端２から伝送される第２の高周波信号ＦＬ１が出力されるものである。第２端子７ｂ及び第３端子７ｃは、第１ミキサ４に形成されているものである、第４端子７ｄは、第２ミキサ５に第４の高周波信号が入力されるものである。伝送線路８及び伝送線路９は、第１端子７ａ、第２端子７ｂ、第３端子７ｃ、第４端子７ｄと接続可能なものである。例えば、伝送線路８及び伝送線路９は、同軸線路などの高周波信号用の伝送線路である。伝送線路８及び伝送線路９は、経路切替用同軸ケーブルと称してもよい。図４では、伝送線路８を図示しているが、伝送線路８に代えて、伝送線路９を使用してもよい。
【００２３】
図３は、経路形成部７が、第１端子７ａと第２端子７ｂとが伝送線路８で接続され及び第３端子７ｃと第４端子７ｄとが伝送線路９で接続されることによって第１の信号経路を形成している状態を示している。すなわち、第１の信号経路が形成されているので、この場合の実施の形態２に係る信号選択装置は、第１のコンバージョン信号（周波数Ｆｉｆ＋ＦＬ１＋ＦＬ２）を出力する。
【００２４】
図４は、経路形成部７が、第１端子７ａと第４端子７ｄとが伝送線路８（図示は省略するが伝送線路９でもよい）で接続されることにより第２の信号経路を形成している状態を示している。すなわち、第２の信号経路が形成されているので、この場合の実施の形態２に係る信号選択装置は、第２のコンバージョン信号（周波数ＦＬ１＋ＦＬ２）を出力する。
【００２５】
よって、実施の形態２に係る信号選択装置は、伝送線路８（伝送線路９）と、第１端子７ａ、第２端子７ｂ、第３端子７ｃ、第４端子７ｄとを付け替えることで、第１の信号経路又は第２の信号経路を形成することができる。また、実施の形態２に係る信号選択装置は、実施の形態１に係る信号選択装置と同様に、経路形成部７は、第１の信号経路又は第２の信号経路のいずれか一方に固定されて形成されていてもよい。この場合を、実施の形態１と同様で、特に限定的に解釈して、実施の形態２に係る信号選択装置と称してもよい。一方、限定的な解釈でないもの、つまり、第１の信号経路又は第２の信号経路のいずれか一方に変更できる状態を維持しているものは、実施の形態２に係る信号切替装置といえる。
【００２６】
図２に示す実施の形態２に係る信号選択装置を周波数変換器として使用する場合は、図３に示すように、信号入力端である第１入力端１からの第１の高周波信号Ｆｉｆと、第２入力端（第１局部発信回路２Ｌ）の出力信号であり、第１端子７ａ、伝送線路８、第２端子７ｂを経由して伝送された第２の高周波信号ＦＬ１とを、第１ミキサ４にてミキシングし周波数Ｆｉｆ＋ＦＬ１に変換する。周波数Ｆｉｆ＋ＦＬ１は、第３端子７ｃ、伝送線路９、第４端子７ｄを経由して第２ミキサ５に伝送される。次に、第２ミキサ５にて、第３入力端（第２局部発信回路３Ｌ）の出力信号である第３の高周波信号ＦＬ２とミキシングして第２ミキサ５（出力端６）から周波数Ｆｉｆ＋ＦＬ１＋ＦＬ２を出力する。
【００２７】
図２に示す実施の形態２に係る信号選択装置をパイロット信号発生器として使用する場合は、図４に示すように、第２入力端（第１局部発信回路２Ｌ）の出力信号であり、第１端子７ａ、伝送線路８、第４端子７ｄを経由して伝送された第２の高周波信号ＦＬ１と、第３入力端（第２局部発信回路３Ｌ）の出力信号である第３の高周波信号ＦＬ２とを、第２ミキサ５にてミキシングして第２ミキサ５（出力端６）から周波数ＦＬ１＋ＦＬ２を出力する。なお、経路形成部７（第１端子７ａ、伝送線路８、第４端子７ｄ）により、第２の信号経路が独立して存在できれば、信号入力端である第１入力端１からの第１の高周波信号Ｆｉｆの入力の有無は問わない。
【００２８】
以上のように、実施の形態２に係る信号選択装置は、実施の形態１に係る信号選択装置と同様に、第１の信号経路が形成されているときは第１のコンバージョン信号（周波数Ｆｉｆ＋ＦＬ１＋ＦＬ２）を出力し、第２の信号経路が形成されているときは第２のコンバージョン信号（周波数ＦＬ１＋ＦＬ２）を出力することが、経路形成部７によって実行できる。詳しくは、経路形成部７は、第１端子７ａ、第２端子７ｂ、第３端子７ｃ、第４端子７ｄを指している。伝送線路８（伝送線路９）を経路形成部７に含めてもよい。
【００２９】
同じく、実施の形態２に係る信号選択装置は、周波数変換器のローカル信号源（第１局部発信回路２Ｌ、第２局部発信回路３Ｌ）とパイロット信号発生器の信号源の局部発振器（第１局部発信回路２Ｌ、第２局部発信回路３Ｌ）とを、伝送線路８（伝送線路９）をつなぎかえることで、共通にすることができる。また、経路形成部７は、第１の信号経路又は第２の信号経路のいずれか一方に固定されて形成されるように、伝送線路８（伝送線路９）が接続されている場合は、周波数変換器又はパイロット信号発生器のいずれか一方として使用できる。
【００３０】
よって、実施の形態２に係る信号選択装置（信号切替装置）は、実施の形態１に係る信号選択装置（信号切替装置）に包含されるものである。つまり、実施の形態２に係る信号選択装置は、第２ミキサ５（出力端６）は、第１の信号経路が形成されているときは第１のコンバージョン信号（周波数Ｆｉｆ＋ＦＬ１＋ＦＬ２）を出力し、第２の信号経路が形成されているときは第２のコンバージョン信号（周波数ＦＬ１＋ＦＬ２）を出力することを特徴とするものであるといえる。
【００３１】
以下、実施の形態１及び実施の形態２に係る信号選択装置を信号選択装置１０と呼ぶ場合がある。図１から図４には、信号選択装置１０の符号を付している。図１から図４に示すように、第１入力端１及び出力端６は、信号選択装置１０の外部に形成されているとしてもよい。つまり、第１入力端１及び出力端６は、信号選択装置１０の内部に形成されていてもよい。同じく、第１局部発信回路２Ｌ、第２局部発信回路３Ｌや、伝送線路８、伝送線路９も、信号選択装置１０の内部に形成されていてもよいし、信号選択装置１０の外部に形成されていてもよい。
【００３２】
実施の形態３．
この発明の実施の形態３に係る通信装置について図５から図８を用いて説明する。図５は、信号選択装置１０（実施の形態１、２に係る信号選択装置）が関与する信号経路が形成される前の状態の通信装置の機能ブロック図である。図６は、第４の信号経路が形成されている状態の信号選択装置の機能ブロック図である。図４は、第６の信号経路が形成されている状態の信号選択装置の機能ブロック図である。図中、同一符号は、同一又は相当部分を示しそれらについての詳細な説明は省略する場合がある。実施の形態３に係る通信装置は、実施の形態１又は実施の形態２の少なくとも一方に係る信号選択装置を有するものである。実施の形態３に係る通信装置は、衛星通信装置や無線通信装置に好適なものである。
【００３３】
図５、図６、図７において、分配器１１は、入力された第１の高周波信号（周波数Ｆｉｆ）を分配し、一方を第１入力端１に入力させるものである。変調器１２は、第１の高周波信号（周波数Ｆｉｆ）を分配器１１へ送るものである。周波数変換器１３は、分配器１１が分配した第１の高周波信号（周波数Ｆｉｆ）の他方が入力され、第１のコンバージョン信号（周波数Ｆｉｆ＋ＦＬ１＋ＦＬ２）と同じ周波数の送信波に周波数変換するものである。換言すると、送信波の周波数に合わせて、第１のコンバージョン信号（周波数Ｆｉｆ＋ＦＬ１＋ＦＬ２）が設定されているといえる。周波数変換器１３の入力端は、第１の高周波信号（周波数Ｆｉｆ）が入力され、周波数変換器１３の出力端は、送信波（第１のコンバージョン信号（周波数Ｆｉｆ＋ＦＬ１＋ＦＬ２）と同じ周波数の信号）を出力するものである。パイロット信号発生器１４は、第２のコンバージョン信号（周波数ＦＬ１＋ＦＬ２）と同じ周波数のパイロット信号を生成するものである。換言すると、パイロット信号の周波数に合わせて、第２のコンバージョン信号（周波数ＦＬ１＋ＦＬ２）が設定されているといえる。パイロット信号発生器１４の出力端は、パイロット信号（第２のコンバージョン信号（周波数ＦＬ１＋ＦＬ２）と同じ周波数の信号）を出力するものである。
【００３４】
同じく、図５、図６、図７において、第１信号切替器１５は、周波数変換器１３が送信波を出力する第３の信号経路と第２ミキサ５（出力端６）が第１のコンバージョン信号（周波数Ｆｉｆ＋ＦＬ１＋ＦＬ２）を出力する第４の信号経路と切り換えるものである。第２信号切替器１６は、パイロット信号発生器１４がパイロット信号を出力する第５の信号経路と第２ミキサ５（出力端６）が第２のコンバージョン信号（周波数ＦＬ１＋ＦＬ２）を出力する第６の信号経路と切り換えるものである。合成器１７は、第１信号切替器１５と第２信号切替器１６とから送られてくる信号を合成するものである。アンテナ部１８は、合成器１７から送られてきた信号を送信するものである。
【００３５】
実施の形態３に係る通信装置は、通常の運用では、図５に示すように、第１信号切替器１５が第３の信号経路を選択し、第２信号切替器１６が第５の信号経路を選択している。つまり、アンテナ部１８から周波数変換器１３が生成した送信波と、パイロット信号発生器１４が生成したパイロット信号を送信している。実施の形態３において、信号選択装置１０は、周波数変換器１３又はパイロット信号発生器１４が故障した際に、代わりに動作することができるものである。そのため、実施の形態３に係る通信装置は、故障検知部１９を備えている。故障検知部１９は、第１信号切替器１５、第２信号切替器１６の切り替え動作を制御する（制御線などの図示は省略）。
【００３６】
実施の形態３に係る通信装置は、周波数変換器１３又はパイロット信号発生器１４が故障した際に、信号選択装置１０を代わりに動作させるだけのものでない。例えば、装置の長寿命化のため、周波数変換器１３又はパイロット信号発生器１４を定期的に休ませて、信号選択装置１０を代わりに動作させてもよい。この場合は、故障検知部１９はなくてもよいし、故障検知部１９を、第１信号切替器１５、第２信号切替器１６の切り替え動作を制御する切替制御部１９としてもよい。切替制御部１９としての図示は省略する。切替制御部１９は、周波数変換器１３とパイロット信号発生器１４との使用頻度に合わせて、周波数変換器１３又はパイロット信号発生器１４の一方と他方との休ませる頻度を変えてもよい。つまり、切替制御部１９が切り替え動作を制御する第１信号切替器１５と第２信号切替器１６とで制御の頻度を変えることになる。故障検知部１９又は切替制御部１９は、経路形成部７を制御してもよい。つまり、信号選択装置１０の第１の信号経路又は第２の信号経路の経路形成を制御する。また、故障検知部１９又は切替制御部１９は、実施の形態３に係る通信装置の外部に設けてもよい。故障検知部１９又は切替制御部１９の機能を、第１信号切替器１５又は第２信号切替器１６の少なくとも一方が担ってもよい。
【００３７】
実施の形態３において、信号選択装置１０を周波数変換器１３として機能させる場合は、信号選択装置１０の第１入力端１及び出力端６が、それぞれ周波数変換器１３の入力端及び出力端として機能する。同じく、信号選択装置１０をパイロット信号発生器１４として機能させる場合は、信号選択装置１０の出力端６が、パイロット信号発生器１４の出力端として機能する。
【００３８】
故障検知部１９は、例えば、周波数変換器１３の出力の異常、温度異常、電源回路の異常などのいずれか一つを少なくとも検知して、周波数変換器１３の故障を検知する。同じく、故障検知部１９は、例えば、パイロット信号発生器１４の出力の異常、温度異常、電源回路の異常などのいずれか一つを少なくとも検知して、パイロット信号発生器１４の故障を検知するものである。故障検知部１９は、周波数変換器１３又はパイロット信号発生器１４に形成された局部発振回路の異常を検知して、周波数変換器１３又はパイロット信号発生器１４の故障を検知してもよい。故障検知部１９は、例えば、信号選択装置１０の出力の異常、温度異常、電源回路の異常などのいずれか一つを少なくとも検知して、信号選択装置１０の故障を検知するようにしてもよい。また、故障検知部１９は、信号選択装置１０の内部又は外部に形成されている、第１局部発振回路２L又は第２局部発振回路３Ｌの少なくとも一方の異常を検知して、信号選択装置１０の故障を検知してもよい。
【００３９】
図８（ａ）に示すフローチャートを用いて、故障検知部１９による周波数変換器１３、パイロット信号発生器１４の故障検出に関する動作を説明する。図８（ａ）のＳＴＥＰ１（判断１）において、故障検知部１９は、周波数変換器１３の出力から周波数変換器１３の故障の有無を判断する。周波数変換器１３が故障している場合は、ＳＴＥＰ２（判断２）に進む。周波数変換器１３が故障していない場合は、ＳＴＥＰ３（判断２）に進む。
【００４０】
ＳＴＥＰ２（判断２）において、故障検知部１９は、パイロット信号発生器１４の出力からパイロット信号発生器１４の故障の有無を判断する。パイロット信号発生器１４が故障している場合は、終了に進む。これは、周波数変換器１３及びパイロット信号発生器１４の両方が故障しており、信号選択装置１０が１台では代用できないためである。パイロット信号発生器１４が故障していない場合は、ＳＴＥＰ４（処理１）に進む。ＳＴＥＰ４（処理１）において、故障検知部１９は、周波数変換器１３が故障しており、パイロット信号発生器１４が故障していないという状態のため、第１信号切替器１５を制御して、第３の信号経路から第４の信号経路に切り替えさせて、終了へ進む。この場合の信号選択装置１０の動作は、経路形成部７の動作によって、第２ミキサ５（出力端６）から第１のコンバージョン信号（周波数Ｆｉｆ＋ＦＬ１＋ＦＬ２）を出力するものである。図６は、第４の信号経路へ切り替えた後の通信装置を示している。
【００４１】
ＳＴＥＰ３（判断２）において、故障検知部１９は、パイロット信号発生器１４の出力からパイロット信号発生器１４の故障の有無を判断する。パイロット信号発生器１４が故障していない場合は、スタートに戻る。これは、周波数変換器１３及びパイロット信号発生器１４の両方が故障していないためである。パイロット信号発生器１４が故障している場合は、ＳＴＥＰ５（処理２）に進む。ＳＴＥＰ５（処理２）において、故障検知部１９は、パイロット信号発生器１４が故障しており、周波数変換器１３が故障していないという状態のため、第２信号切替器１６を制御して、第５の信号経路から第６の信号経路に切り替えさせて、終了へ進む。この場合の信号選択装置１０の動作は、経路形成部７の動作によって、第２ミキサ５（出力端６）から第２のコンバージョン信号（周波数ＦＬ１＋ＦＬ２）を出力するものである。図７は、第６の信号経路へ切り替えた後の通信装置を示している。
【００４２】
図８に示すフローチャートでは、先に判断１を実施してから、判断２を実施していたが、先に判断２を実施してから、判断１を実施してもよい。この場合の動作は、図８に示すフローチャートの説明で行った「周波数変換器１３」と「パイロット信号発生器１４」との説明を入れ替えればよいので、説明は省略する。
【００４３】
このように、図５、図６、図７に示す通信装置は、第１信号切替器１５及び第２信号切替器１６が、第４の信号経路又は第６の信号経路のいずれか一方に、排他的に切り替えることができる構成としている。これは、図５、図６、図７に示す通信装置が、信号選択装置１０を１台だけ有するものを例示しているためである。翻って、ＳＴＥＰ２（判断２）の結果、周波数変換器１３及びパイロット信号発生器１４の両方が故障していると、信号選択装置１０による代用ができなかった。しかし、通信装置に信号選択装置１０を二台以上設けることで、対応することができる。例えば、一方の信号選択装置１０は、第１信号切替器１５に接続し、他方の信号選択装置１０は、第２信号切替器１６に接続する。このようにすることで、周波数変換器１３及びパイロット信号発生器１４の両方が故障している場合は、処理３（図示は省略）を実施することができる。処理３は、故障検知部１９が次の二つの動作を行う。
【００４４】
故障検知部１９の一つ目の動作は、第１信号切替器１５を制御して、第３の信号経路から第４の信号経路に切り替えさせて、終了へ進む。この場合の一方の信号選択装置１０の動作は、経路形成部７の動作によって、第２ミキサ５（出力端６）から第１のコンバージョン信号（周波数Ｆｉｆ＋ＦＬ１＋ＦＬ２）を出力するものである。故障検知部１９の二つ目の動作は、第２信号切替器１６を制御して、第５の信号経路から第６の信号経路に切り替えさせて、終了へ進む。この場合の他方の信号選択装置１０の動作は、経路形成部７の動作によって、第２ミキサ５（出力端６）から第２のコンバージョン信号（周波数ＦＬ１＋ＦＬ２）を出力するものである。
【００４５】
このように、一方の信号選択装置１０は、第１信号切替器１５に接続され、他方の信号選択装置１０は、第２信号切替器１６に接続されている場合は、一方の信号選択装置１０は、第１の信号経路に固定してもよい。同じく、他方の信号選択装置１０は、第２の信号経路に固定してもよい。さらに、他方の信号選択装置１０は分配器１１に接続されている必要はない。すなわち、他方の信号選択装置１０へ第１の高周波信号（周波数Ｆｉｆ）を入力する必要はない。
【００４６】
よって、故障検知部１９は、周波数変換器１３の故障を検知したとき、第１信号切替器１５に第３の信号経路から第４の信号経路に切り替えさせ、パイロット信号発生器１４の故障を検知したとき、第２信号切替器１６に第５の信号経路から第６の信号経路に切り替えさせるものであるといえる。
【００４７】
信号選択装置１０（一方の信号選択装置１０、他方の信号選択装置１０）自体が故障している場合は、周波数変換器１３又はパイロット信号発生器１４の代用を務めることができない。そのため、故障検知部１９は、定期的に信号選択装置１０の故障検知を実施することが望ましい。図８（ｂ）に示すフローチャートを用いて、故障検知部１９による信号選択装置１０の故障検出に関する動作を説明する。図８（ｂ）のＳＴＥＰ６（判断３）において、故障検知部１９は、信号選択装置１０を動作させ、信号選択装置１０の出力から信号選択装置１０の故障の有無を判断する。信号選択装置１０が故障している場合は、終了に進む。信号選択装置１０が故障していない場合は、スタートに戻る。
【００４８】
信号選択装置１０が故障している場合は、図８（ａ）に示すフローチャートに記載の故障検知部１９の動作は不能であると事前に決めてもよい。また、一方の信号選択装置１０が、第１信号切替器１５に接続され、他方の信号選択装置１０が、第２信号切替器１６に接続されている場合は、片方だけが故障している場合は、故障していない方の信号選択装置１０だけを、図８（ａ）に示すフローチャートに記載の故障検知部１９の動作に利用してもよい。
【００４９】
また、図８（ａ）に示すフローチャートに記載の故障検知部１９の動作を実施する前に、図８（ｂ）に示すフローチャートに記載の故障検知部１９の動作を実施してもよい。さらに、図８（ｂ）に示すフローチャートに記載の故障検知部１９の動作を、図８（ａ）に示すフローチャートに記載の故障検知部１９の動作に組み込んでもよい。この場合は、図８（ａ）に示すフローチャートの「スタート」と「判断１（ＳＴＥＰ１）」との間で、「判断３（ＳＴＥＰ６）」を実施する。このＳＴＥＰ６（判断３）において、信号選択装置１０の出力から信号選択装置１０の故障の有無を判断する。信号選択装置１０が故障している場合は、終了に進む。信号選択装置１０が故障していない場合は、スタートに戻らず、「判断１（ＳＴＥＰ１）」へ進めばよい。
【００５０】
実施の形態３において、信号選択装置１０を第１の信号経路又は第２の信号経路のいずれか一方に固定している場合を、特に限定的に解釈して、信号選択装置１０と称してもよい。一方、限定的な解釈でないもの、つまり、第１の信号経路又は第２の信号経路のいずれか一方に変更できる状態を維持しているものは、信号切替装置といえる。このように、信号選択装置１０を第１の信号経路又は第２の信号経路のいずれか一方に固定することで、信号選択装置１０は、周波数変換器１３又はパイロット信号発生器１４の少なくとも一方のみの代用となる。このような少なくとも一方のみの代用の場合、故障検知部１９は、周波数変換器１３の故障、又は、パイロット信号発生器１４の故障の少なくとも一方を検知するものであればよい。また、故障検知部１９は、故障を検知したとき、第２ミキサ５（出力端６）から、第１のコンバージョン信号（周波数Ｆｉｆ＋ＦＬ１＋ＦＬ２）又は第２のコンバージョン信号（周波数ＦＬ１＋ＦＬ２）の少なくとも一方を出力させることになる。
【００５１】
以上のように、実施の形態３に係る通信装置は、実施の形態１及び実施の形態２に係る信号選択装置（信号切替装置）が奏する効果に加え、通信装置の内部の周波数変換器１３又はパイロット信号発生器１４の少なくとも一方を信号選択装置１０に切り替えて使用できることができる。また、通信装置が信号選択装置１０を１台だけ有している場合は、周波数変換器１３、パイロット信号発生器１４の予備を個別に搭載せず、予備台数を削減することができる。よって、実施の形態３に係る通信装置は、回路規模を小さくすることが容易である。
【００５２】
実施の形態４．
この発明の実施の形態４に係る通信装置について図９及び図１０を用いて説明する。実施の形態３では、通信装置が専用の周波数変換器１３及びパイロット信号発生器１４を有していた。実施の形態４に係る通信装置では、最初から周波数変換器１３及びパイロット信号発生器１４の代わりに三台以上の信号選択装置１０を備えている。三台以上の信号選択装置１０は同一構成である必要はない。
【００５３】
図９において、信号選択装置１０ａは、信号選択装置１０を周波数変換器１３として機能させているものである。つまり、信号選択装置１０ａは、第１の信号経路が形成された信号選択装置１０である。信号選択装置１０ｂは、信号選択装置１０そのものである。信号選択装置１０ｃは、信号選択装置１０をパイロット信号発生器１４として機能させているものである。つまり、信号選択装置１０ｃは、第２の信号経路が形成された信号選択装置１０である。
【００５４】
図９に示す通信装置は、信号選択装置１０ａが周波数変換器１３として動作し、信号選択装置１０ｃがパイロット信号発生器１４として動作する。よって、実施の形態４に係る通信装置は、実施の形態３に係る通信装置と同様の効果を奏する。つまり、周波数変換器１３は、実施の形態１又は実施の形態２に記載の信号選択装置１０であり、第１のコンバージョン信号（周波数Ｆｉｆ＋ＦＬ１＋ＦＬ２）を送信波として出力するものであるといえる。同じく、パイロット信号発生器１４は、実施の形態１又は実施の形態２に記載の信号選択装置１０であり、第２のコンバージョン信号（周波数ＦＬ１＋ＦＬ２）をパイロット信号として出力するものであるといえる。
【００５５】
図９に示す通信装置では、信号選択装置１０ｃには、分配器１１から第１の高周波信号（周波数Ｆｉｆ）が入力されない構成のため、パイロット信号発生器１４として機能させることしかできない。しかし、図１０に示す通信装置のように、第３信号切替器２０及び第４信号切替器２１を形成することで、信号選択装置１０ａ、信号選択装置１０ｂ、信号選択装置１０ｃのいずれか一つを周波数変換器１３として動作させ、いずれか一つを信号選択装置１０として動作させ、いずれか一つをパイロット信号発生器１４として動作させることができる。
【００５６】
つまり、図１０において、信号選択装置１０ａ、信号選択装置１０ｂ、信号選択装置１０ｃは、周波数変換器１３、信号選択装置１０、パイロット信号発生器１４のいずれか一つとして動作するもので、それらが好適には重複しないことが求められる。第３信号切替器２０は、分配器１１から伝送される第１の高周波信号（周波数Ｆｉｆ）の送り先を信号選択装置１０ａと信号選択装置１０ｂとで切り替えることができるものである。第４信号切替器２１は、分配器１１から伝送される第１の高周波信号（周波数Ｆｉｆ）の送り先を信号選択装置１０ｂと信号選択装置１０ｃとで切り替えることができるものである。信号選択装置１０ｂは、第３信号切替器２０と第４信号切替器２１との両方から同時に、第１の高周波信号（周波数Ｆｉｆ）が送られないように排他的に切り替えることができる構成としている。
【００５７】
図１０に示す通信装置は、第３信号切替器２０と第４信号切替器２１により、信号選択装置１０ａ、信号選択装置１０ｂ、信号選択装置１０ｃのうち、二つに第１の高周波信号（周波数Ｆｉｆ）を供給することができる。よって、周波数変換器１３、信号選択装置１０として機能する。また、信号選択装置１０ａ、信号選択装置１０ｂ、信号選択装置１０ｃのうち、第１の高周波信号（周波数Ｆｉｆ）を供給されない一つは、パイロット信号発生器１４として機能する。もちろん、信号選択装置１０ａ、信号選択装置１０ｂ、信号選択装置１０ｃの全ての第１入力端１へ第１の高周波信号（周波数Ｆｉｆ）を供給してもよい。この場合は、パイロット信号発生器１４として機能させるものの経路形成部７に第２の信号経路を形成させればよい。換言すると、信号選択装置１０ａ、信号選択装置１０ｂ、信号選択装置１０ｃを周波数変換器１３として機能させる場合は、その経路形成部７に第１の信号経路を形成させればよいといえる。
【００５８】
なお、図９及び図１０において、故障検知部１９は、例えば、信号選択装置１０ａ、信号選択装置１０ｂ、信号選択装置１０ｃの異常、温度異常、電源回路の異常などのいずれか一つを少なくとも検知して、信号選択装置１０ａ、信号選択装置１０ｂ、信号選択装置１０ｃの故障を検知するものである。また、故障検知部１９は、信号選択装置１０ａ、信号選択装置１０ｂ、信号選択装置１０ｃの内部又は外部に形成されている、第１局部発振回路２L又は第２局部発振回路３Ｌの少なくとも一方の異常を検知して、信号選択装置１０ａ、信号選択装置１０ｂ、信号選択装置１０ｃの故障を検知してもよい。故障検知部１９は、第１信号切替器１５、第２信号切替器１６、第３信号切替器２０、第４信号切替器２１の切り替え動作を制御する（制御線などの図示は省略）。つまり、故障検知部１９の基本的な動作は、実施の形態３に係る通信装置と同様である。故障検知部１９又は切替制御部１９は、経路形成部７を制御してもよい。つまり、信号選択装置１０ａ、信号選択装置１０ｂ、信号選択装置１０ｃの第１の信号経路又は第２の信号経路の経路形成を制御する。また、故障検知部１９又は切替制御部１９は、実施の形態４に係る通信装置の外部に設けてもよい。故障検知部１９又は切替制御部１９の機能を、第１信号切替器１５、第２信号切替器１６、第３信号切替器２０、第４信号切替器２１の少なくとも、いずれか一つが担ってもよい。
【００５９】
なお、実施の形態４に係る通信装置は、実施の形態４に係る通信装置と同様に、信号選択装置１０ａ、信号選択装置１０ｂ、信号選択装置１０ｃのいずれかが故障した際に、別のものを動作させるだけでない。例えば、装置の長寿命化のため、信号選択装置１０ａ、信号選択装置１０ｂ、信号選択装置１０ｃのいずれかを定期的に休ませて、別のものを動作させてもよい。この場合は、故障検知部１９はなくてもよし、故障検知部１９を、第１信号切替器１５、第２信号切替器１６、第３信号切替器２０、第４信号切替器２１の切り替え動作を制御する切替制御部１９としてもよい。切替制御部１９としての図示は省略する。
【００６０】
さらに、実施の形態４において、信号選択装置１０ａ、信号選択装置１０ｂ、信号選択装置１０ｃのいずれかを第１の信号経路又は第２の信号経路のいずれか一方に固定している場合を、特に限定的に、信号選択装置１０ａ、信号選択装置１０ｂ、信号選択装置１０ｃと称してもよい。一方、限定的な解釈でないもの、つまり、第１の信号経路又は第２の信号経路のいずれか一方に変更できる状態を維持しているものは、信号切替装置１０ａ、信号切替装置１０ｂ、信号切替装置１０ｃといえる。
【００６１】
以上のように、実施の形態１及び実施の形態２に係る信号選択装置（信号切替装置）と、実施の形態３及び実施の形態４に係る通信装置とは、第１の信号経路が形成されているときは第１のコンバージョン信号（周波数Ｆｉｆ＋ＦＬ１＋ＦＬ２）を出力し、第２の信号経路が形成されているときは第２のコンバージョン信号（周波数ＦＬ１＋ＦＬ２）を出力するということを特徴とするから逸脱しない限り、本願の実施の形態の変形例は許容される。
【符号の説明】
【００６２】
１・・第１入力端  ２・・第２入力端  ２L・・第１局部発振回路
３・・第３入力端  ３Ｌ・・第２局部発振回路  ４・・第１ミキサ
５・・第２ミキサ  ６・・出力端  ７・・経路形成部  ８・・伝送線路
９・・伝送線路  １０・・信号選択装置（信号切替装置）
１０ａ・・信号選択装置（信号切替装置）  １０ｂ・・信号選択装置（信号切替装置）
１０ｃ・・信号選択装置（信号切替装置）  １１・・分配器  １２・・変調器
１３・・周波数変換器  １４・・パイロット信号発生器  １５・・第１信号切替器
１６・・第２信号切替器  １７・・合成器  １８・・アンテナ部
１９・・故障検知部（切替制御部）  ２０・・第３信号切替器
２１・・第４信号切替器。
【図１】
2019068322.tif 000003
【図２】
2019068322.tif 000004
【図３】
2019068322.tif 000005
【図４】
2019068322.tif 000006
【図５】
2019068322.tif 000007
【図６】
2019068322.tif 000008
【図７】
2019068322.tif 000009
【図８】
2019068322.tif 000010
【図９】
2019068322.tif 000011
【図１０】
2019068322.tif 000012